(57)【要約】【課題】  内燃機関を利用するシステムにおいて、水素を生成する。さらに、生成した水素を用いて発電を行い、２次電池の充電容量が低下することを防止する。【解決手段】  一対の電極７６、７７を有するプロトン伝導性の固体電解質７５と、一対の電極に直流電圧を印加する電圧印加手段２、１７とを備える水素発生装置７を用い、一対の電極に直流電圧を印加した状態で一対の電極のうち一方の電極７６に内燃機関１の排気ガスを接触させ、排気ガス中に含まれる水分を電気分解させ、排気ガスに接しない一対の電極のうち他方の電極７７から水素を発生させる。水素発生装置７により生成した水素を水素貯蔵手段９に貯蔵しておき、内燃機関１の停止時に水素貯蔵手段９により燃料電池１２に水素を供給して燃料電池１２で電気エネルギを発生させ、この電気エネルギを２次電池２に供給する。【選択図】        図１
2006206931.tif 000002
【特許請求の範囲】
【請求項１】
内燃機関（１）の排気ガスに含まれる水分から水素を生成する水素生成装置であって、
一対の電極（７６、７７）を有するプロトン伝導性の固体電解質体（７５）と、
前記一対の電極に直流電圧を印加する電圧印加手段（２、１７）とを備え、
前記一対の電極に直流電圧を印加した状態で前記一対の電極のうち一方の電極（７６）に前記内燃機関（１）の排気ガスを接触させ、前記排気ガス中に含まれる水分を電気分解させるとともに、前記一対の電極のうち排気ガスに接しない他方の電極（７７）から水素を発生させることを特徴とする水素発生装置。
【請求項２】
前記一対の電極（７６、７７）のうち少なくとも前記一方の電極（７６）には、触媒が設けられていることを特徴とする請求項１に記載の水素発生装置。
【請求項３】
請求項１または２に記載の水素発生装置（７）と、
水素と酸素との電気化学反応により電気エネルギを発生させる燃料電池（１２）と、
前記水素発生装置（７）により生成した水素を貯蔵する水素貯蔵手段（９）と、
前記内燃機関（１）の始動に必要な電力を供給する２次電池（２）と、
前記内燃機関（１）の停止時に電力を消費するとともに、前記内燃機関（１）の停止時に前記２次電池（２）から電力供給される電気負荷（３）とを備え、
前記内燃機関（１）の停止時に、前記水素貯蔵手段（９）により前記燃料電池（１２）に水素を供給して前記燃料電池（１２）で電気エネルギを発生させ、この電気エネルギを前記２次電池（２）あるいは前記電気負荷（３）のいずれか一方に供給することを特徴とする発電システム。
【請求項４】
前記燃料電池（１２）の発電電圧を昇圧する電圧変換手段（１６）を備えることを特徴とする請求項３に記載の発電システム。
【請求項５】
前記水素貯蔵手段（９）は、水素吸蔵合金を有しており、前記水素吸蔵合金に水素を吸蔵させることを特徴とする請求項３または４に記載の発電システム。
【請求項６】
前記水素貯蔵手段は、高圧の水素を貯蔵することができる高圧タンクであることを特徴とする請求項３または４に記載の発電システム。
【発明の詳細な説明】
【技術分野】
【０００１】
本発明は、内燃機関の排気ガスから水素を生成する水素発生装置と、水素発生装置で生成した水素を用いて発電する発電システムに関する。
【背景技術】
【０００２】
近年、車両に搭載する補機類の増加やその機能の増大に伴い、車両停止中に補機類での消費電流（暗電流）が増大しており、車両搭載のバッテリが過剰に放電する可能性がある。また、一般に車両搭載のバッテリは休止期間中に自己放電を起こし、自然に充電容量が低下する。このため車両の停止期間が長い場合にはバッテリの容量低下が顕著になる。この傾向は、車両の走行中の電気負荷の増大によりバッテリの充電と放電のバランスがくずれた場合にはさらに容量低下を助長する結果となる。
【０００３】
一般的に、内燃機関を主要な走行用駆動源とする車両では、バッテリからの電源供給を受けて内燃機関の始動を行うようになっており、内燃機関の停止中にバッテリが過剰に放電した場合、内燃機関の再始動ができなくなる不具合が発生する。このような不具合に対し、バッテリの容量を大きくするなどの解決法があるが、バッテリの容量を無制限に大きくすることは重量と車両内のスペースの点から制限がある。このため、何らかの方法により、バッテリに充電したり、放電の制限をする方法が考案されている。
【０００４】
例えばバッテリが過剰に放電する前に事前にそれを検知し、暗電流が発生する機器への通電を停止する構成（特許文献１）や、あるいはバッテリを複数搭載する車両において一方のバッテリから他方のバッテリに充電を行う構成（特許文献２）が提案されている。また、輸送のような長期にわたる停車の場合には補機とバッテリを遮断するスイッチを別途設ける構成も考案されている（特許文献３）。さらに、太陽電池を設け、その発電電力により駐車中に車内の空気を換気したり、余った電力をバッテリに供給する構成も提案されている（特許文献４）。
【特許文献１】特開２００４−１６８２６３号公報
【特許文献２】特開２００２−２０９３０１号公報
【特許文献３】特開平１０−０７０８４３号公報
【特許文献４】特開２００３−２９７０４４号公報
【発明の開示】
【発明が解決しようとする課題】
【０００５】
しかし、特許文献１の構成では機器の通電停止により発生する不具合があり、特許文献２の構成では電気自動車あるいは電気と内燃機関のハイブリッド車に限定されるなどの制限がある。また、特許文献３の構成では、スイッチを手動で作動させる手間のほか、通電停止中にメモリの情報が消失したりする問題がある。さらに特許文献４の構成では、車両を日光のあたらない屋内に置く場合には発電が期待できないという問題がある。
【０００６】
また、近年実用化してきた燃料電池を用い、内燃機関の停止中に発電させ、バッテリを充電することも考えられるが、燃料電池の燃料としての水素を確保しなければならないという問題がある。
【０００７】
本発明は上記点に鑑み、内燃機関を利用するシステムにおいて、水素を生成することを目的とする。さらに、生成した水素を用いて発電を行い、内燃機関の始動に必要な電力を供給する２次電池の充電容量が低下することを防止することを目的とする。
【課題を解決するための手段】
【０００８】
上記目的を達成するため、請求項１に記載の発明では、内燃機関（１）の排気ガスに含まれる水分から水素を生成する水素生成装置であって、一対の電極（７６、７７）を有するプロトン伝導性の固体電解質体（７５）と、一対の電極に直流電圧を印加する電圧印加手段（２、１７）とを備え、一対の電極に直流電圧を印加した状態で一対の電極のうち一方の電極（７６）に内燃機関（１）の排気ガスを接触させ、排気ガス中に含まれる水分を電気分解させ、排気ガスに接しない一対の電極のうち他方の電極（７７）から水素を発生させることを特徴としている。
【０００９】
このように、内燃機関（１）の排気ガスに含まれる水分を電気分解することで水素を得ることができ、内燃機関（１）から排出される高温の排気ガス中に含まれる水を利用することで、水素生成のための原料の確保と熱エネルギの有効利用を同時に行うことができる。
【００１０】
また、請求項２に記載の発明のように、一対の電極（７６、７７）の少なくとも排気ガスに接触する側に触媒を設けることで、水の電気分解反応を促進させることができる。
【００１１】
また、請求項３に記載の発明では、請求項１または２に記載の水素発生装置（７）と、水素と酸素との電気化学反応により電気エネルギを発生させる燃料電池（１２）と、水素発生装置（７）により生成した水素を貯蔵するとともに、貯蔵した水素を燃料電池に供給する水素貯蔵手段（９）と、内燃機関（１）の始動に必要な電力を供給する２次電池（２）と、内燃機関（１）の停止時に電力を消費するとともに、内燃機関（１）の停止時に２次電池（２）から電力供給される電気負荷（３）とを備え、内燃機関（１）の停止時に、水素貯蔵手段（９）により燃料電池（１２）に水素を供給して燃料電池（１２）で電気エネルギを発生させ、この電気エネルギを２次電池（２）あるいは電気負荷（３）のいずれか一方に供給することを特徴としている。
【００１２】
このように、内燃機関（１）の排気ガスから得た水素を用い、内燃機関（１）の停止中に燃料電池（１２）を発電させることで、２次電池の充電容量が低下することを防止できる。これにより、内燃機関（１）が次回始動する際に、２次電池（２）から内燃機関（１）の始動に必要な電力を供給することができる。
【００１３】
また、請求項４に記載の発明では、燃料電池（１２）の発電電圧を昇圧する電圧変換手段（１６）を備えることを特徴としている。これにより、燃料電池（１２）の発電電圧を２次電池（２）あるいは電気負荷（３）に供給可能な電圧にするために燃料電池セルの枚数を増加させる必要がなく、燃料電池の構成を簡略化することができる。
【００１４】
また、水素貯蔵手段（９）は、請求項５に記載の発明のように水素吸蔵合金を用いて、水素吸蔵合金に水素を吸蔵させることができ、さらに請求項６に記載の発明のように、高圧の水素を貯蔵することができる高圧タンクを用いることもできる。
【００１５】
なお、上記各手段の括弧内の符号は、後述する実施形態に記載の具体的手段との対応関係を示すものである。
【発明を実施するための最良の形態】
【００１６】
（第１実施形態）
以下、本発明の第１実施形態について図１、図２に基づいて説明する。本第１実施形態は、本発明の水素発生装置およびこの水素発生装置で生成した水素を燃料として発電する発電システムを、内燃機関を走行用駆動源とする車両に用いれられる２次電池を充電する２次電池充電システムに適用したものである。
【００１７】
図１は、本第１実施形態の水素発生装置７を含む２次電池充電システムの全体構成を示す。この２次電池充電システムは、内燃機関１、２次電池２、電気負荷３を備えている。
【００１８】
内燃機関１としては、ガソリンエンジンもしくはディーゼルエンジンを用いることができる。内燃機関１は、燃料の燃焼により排気ガスを発生する。内燃機関１で発生した排気ガスは、マニホールド４を介して排気管５より外部に排出される。この排気ガスには水蒸気が含まれている。例えば内燃機関１にガソリンエンジンを用いた場合では、理論空燃費での燃焼で、排気ガス中にモル比において約１２％以上の高温水蒸気が含まれている。
【００１９】
２次電池２は、内燃機関１の作動中にオルタネータ（図示せず）にて発電した電力を蓄えるとともに、各種の補機類に電力を供給するものである。また、２次電池２は、内燃機関１を始動する際に用いられるスタータ（図示せず）に電源供給を行うように構成されている。電気負荷３は、内燃機関１の停止時も含めて常時通電が必要となるものであり、例えば時計やリモコン式ドアロックスイッチ等である。電気負荷３には、内燃機関１が作動している際にはオルタネータにて発電した電力が供給され、内燃機関１が停止している際には、２次電池２から電力が供給される。
【００２０】
図１に示すように、内燃機関１の排気ガスを排出する排気管５には、排気ガスを浄化するための触媒コンバータ６と、排気ガス中に含まれる水分（水蒸気）から水素を生成する水素発生装置７が設けられている。水素発生装置７については、後で詳細に説明する。
【００２１】
水素発生装置７には第１水素供給経路８を介して水素貯蔵容器９が接続されており、水素発生装置７で発生した水素は第１水素供給経路８を介して水素貯蔵容器９に供給される。第１水素供給経路８には逆止弁１０が設けられており、この逆止弁１０によって第１水素供給経路８を通過する水素は水素発生装置７から水素貯蔵容器９に向かう方向にのみ流れる。なお、水素貯蔵容器９が本発明の水素貯蔵手段に相当している。
【００２２】
水素貯蔵容器９には、水素を吸蔵および放出することが可能な水素吸蔵合金９ａが内蔵されている。水素吸蔵合金９ａは、例えばＬａＮｉ5系のものを用いることができる。水素貯蔵容器９は、第２水素供給経路１１を介して燃料電池１２と接続されている。第２水素供給経路１１には、第２水素供給経路１１を開閉可能な弁１３が設けられている。弁１３が閉じた状態では燃料電池１２への水素供給が遮断され、弁１３が開放した状態では燃料電池１２への水素供給が行われる。
【００２３】
燃料電池１２は、内燃機関の停止時に２次電池２の充電のために発電を行うものである。燃料電池１２の発電電力は、２次電池２の起電力を１２Ｖとし、電気負荷３の消費電流を５０ｍＡ程度とすると、５０ｍＡ×１２Ｖ＝０．６Ｗ程度あればよい。本実施形態では、より多くの電力（例えば１０Ｗ）を燃料電池１２で発電させて２次電池２を充電し、２次電池２の状態を急速に回復させるようにしている。
【００２４】
燃料電池１２は、固体高分子型燃料電池を好適に用いることができる。固体高分子電解質膜型燃料電池は常温で作動するため、停止時の車両でも使用しやすい。燃料電池１２は、燃料として純水素を用い、酸化剤として空気を用いる。このような燃料電池１２は、ナフィオン（デュポン社製）等のプロトン伝導性の高分子電解質膜と触媒を塗布した一対の電極とからなる燃料電池セルを備えており、燃料電池セルは電解質膜の両側面に電極が配置されたＭＥＡ（Membrane  Electrode  Assembly：電解質・電極接合体）から構成されている。本実施形態の燃料電池１２は、１層の燃料電池セルを備えている。
【００２５】
燃料電池１２のアノード（水素極）には、水素貯蔵容器９から水素が供給される。本実施形態の燃料電池１２は、発電電力が１０Ｗ程度と小さいので、必ずしも空気を強制的に供給する必要はなく、自然対流を利用して燃料電池１２のカソード（酸化極）に空気が供給される。
【００２６】
本実施形態の２次電池充電システムは、制御部１４を備えている。制御部１４は、制御回路１５、電圧変換回路１６、ＤＣ／ＤＣコンバータ１７を備えている。制御回路１５は、ＣＰＵ、ＲＯＭ、ＲＡＭ、Ｉ／Ｏなどを備えた周知のマイクロコンピュータによって構成され、ＲＯＭなどに記憶されたプログラムに従って各種演算などの処理を実行する。本実施形態の制御回路１５は、２次電池２の充電状態を検出し、これに基づいて弁１３の開閉制御を行う。なお、電圧変換回路１６が本発明の電圧変換手段に相当している。
【００２７】
電圧変換回路１６は、燃料電池１２で発生した電気エネルギを２次電池２に充電可能な電圧まで昇圧する。本実施形態の単セルから構成された燃料電池１２の発電電圧は０．５〜０．８Ｖ程度であるので、これを電圧変換回路１６で２次電池２の起電力（例えば１２Ｖ）まで昇圧する。
【００２８】
図２は、電圧変換回路１６の構成を示す回路図である。図２に示すように、電圧変換回路１６は周知の昇圧回路であり、制御回路１５からの起動信号により開閉するスイッチ１６ａ、昇圧制御回路１６ｂ、ＤＣ／ＤＣコンバータ部１６ｃを備えている。ＤＣ／ＤＣコンバータ部１６ｃは、コイル１６ｄ、スイッチ素子１６ｅ、１６ｆ、コンデンサ１６ｇ、１６ｈを備えており、コイル１６ｄに蓄えた電気エネルギをスイッチ素子１６ｅ、１６ｆにてスイッチングし、コンデンサ１６ｇ、１６ｈで平滑化することで昇圧する。
【００２９】
図１に戻り、ＤＣ／ＤＣコンバータ１７は、２次電池２からの電流を正負を逆転させつつ、電圧を低下させてマイナス電源を生成するものであり、マイナス電源は電線１８を介して水素発生装置７に供給される。
【００３０】
次に、水素発生装置７について図３に基づいて説明する。図３は水素発生装置７の断面図である。
【００３１】
図３に示すように、水素発生装置７は排気管５に設けられている。本実施形態の水素発生装置７は、排気管５の円筒形状と同様の円筒形状に構成されている。水素発生装置７の両端には鍔状のフランジ７１が形成されており、排気管５における水素発生装置７の接続部分にも同様の形状のフランジ５１が形成されている。これらのフランジ５１、７１は、ガスケット５３を介して締結部材５２で固定されている。
【００３２】
水素発生装置７は、外側ケーシング７２と内側ケーシング７３とを備えている。本実施形態では、外側ケーシング７２と内側ケーシング７３ともに円筒形状であり、これらの両端はフランジ７１に接続されている。内側ケーシング７３は排気管５と同程度の直径を有しており、外側ケーシング７２は内側ケーシング７３より大きい直径を有している。
【００３３】
内側ケーシング７３は、軸方向が一致するように外側ケーシング７２の内部に配置されている。外側ケーシング７２と内側ケーシング７３との間には所定の間隔が設けられ、水素生成空間７４が形成されている。外側ケーシング７２には、第１水素供給経路８が接続されており、水素生成空間７４は、第１水素供給経路８に連通している。内側ケーシング７３は、両面側に電極部７６、７７が形成された固体電解質体７５の強度保持と、低温の排気ガス中に含まれる水滴から固体電解質体７５を保護する役割を有している。
【００３４】
内側ケーシング７３の外壁面には、プロトン伝導性の固体電解質体７５、アノードとしての第１電極部７６、カソードとしての第２電極部７７が設けられている。電極部７６、７７は、固体電解質体７５の表面に形成されており、これらの電極部７６、７７は、互いに直接接触しないように形成される。また、第２電極７７は、両端部がフランジ７１に接触しないように形成されている。これらは、内側ケーシング７３の外壁面から、第１電極部７６、固体電解質体７５、第２の電極体７７の順で設けられている。
【００３５】
内部ケーシング７３と第１電極部７６は、電気的に接触している。また、第２電極部７７は電線１８に接続され、外部のマイナス電源と接続されている。内側ケーシング７３は、多数の貫通孔が形成されたメッシュ形状となっており、排気管５を通過する排気ガスが第１電極部７６に接触可能となっている。
【００３６】
固体電解質体７５としては、酸化バリウム、セリア（ＢａＣｅＯ3）、酸化ストロンチウム・セリア（ＳｒＣｅＯ3）、酸化ストロンチウム・ジルコニア（ＳｒＺｒＯ3）、酸化カルシウム・ジルコニア（ＣａＺｒＯ3）、酸化ストロンチウム・チタニア（ＳｒＴｉＯ3）などの酸化物粉末の焼結体を用いる。また、これらの酸化物にイットリウム（Ｙ）、ネオジウム（Ｎｄ）、イッテルビウム（Ｙｂ）、スカンジウム（Ｓｃ）等の酸化物を添加したものを使用することが好ましい。さらに、固体電解質体７５として、ＮＨ4ＮｂＷＯ6やＮＨ4ＴａＷＯ6のように、バイクロア型酸化物のアルカリ金属をアンモニウムイオンで置換したものを用いることもできる。
【００３７】
固体電解質体７５の厚さは、０．５ｃｍ程度が望ましい。厚さが０．５ｃｍを越える場合には、水素イオンが透過する際の抵抗が増大する恐れがある。逆に固体電解質体７５の厚さが薄くなると割れやすくなるなどの欠点がでる。
【００３８】
第１電極部７６としては、白金、ロジウム、イリジウム等酸素過電圧の小さい金属が望ましく、これらの金属のうち１種もしくは２種以上の混合物で使用しても良い。第２電極部７７としては、白金、パラジウム、ロジウム、ルテニウム、イリジウム等が望ましく、これら金属のうちの１種若しくは２種以上の混合物で使用しても良い。さらに第２電極７７として、酸化銅（ＣｕＯ）、酸化コバルト（ＣｏＯ）、銅イオン交換ゼオライト等の触媒を用いることができる。特にこれらと白金、パラジウム等の水素過電圧の小さい金属との混合物は好適である。
【００３９】
これらの電極部７６、７７の形成は、固体電解質体７５の表面に電極形成用化合物のペーストを塗布ないし印刷し、これを焼成することにより行う。あるいは電極部７６、７７の形成は、固体電解質体７５の表面にスパッタリング、蒸着、メッキ等の方法により行うこともできる。電極部７６、７７の厚さは、１〜１０００μｍの範囲内が望ましいが、発泡材料としてガス通気性を保ちながら厚さを厚くし、強度を向上させるのもよい。
【００４０】
次に、本実施形態の２次電池充電システムの作動について説明する。
【００４１】
まず、内燃機関１の作動中について説明する。内燃機関１の作動中は、内燃機関１で発生した排気ガスが排気管５を介して外部に放出される。内燃機関１の排気ガスには、水分、二酸化炭素、窒素等が含まれている。排気ガスは、３００〜８００℃の高温の気体として排出される。このとき、水素発生装置７の電極部７６、７７間に、水分の電気分解のために直流電圧を印加しておく。このときの電圧は、理論電気分解電圧を０．３Ｖ上回る程度の電圧を与えればよい。
【００４２】
一般に水を電気分解して水素を取り出す場合、水、すなわち水蒸気の温度が高いほうが少ないエネルギで電気分解を行うことができる。例えば、常温時での理論電気分解分圧は約１．２Ｖであるのに対し、３００℃では約１Ｖになる。このため、排気ガス温度が高温であるほど、印加電圧を低くすることができる。水素発生装置７を排気管５における内燃機関１に近い位置に配置することで、より高温の排気ガスを利用することができる。
【００４３】
このように高温水蒸気に対して電気分解を行う方が効率がよく、内燃機関１の高温排気ガスから水素を回収することは、結果としてエネルギの回収になる。これにより、水素の原料としての水を確保することができ、さらに従来熱エネルギとして捨てていた内燃機関１の廃熱の一部を回収できる。
【００４４】
排気管５内を通過した排気ガスは、管状となっている水素発生器１の中を通過する。排気管５を通過する排気ガスは内側ケーシング７３の孔を通過して第１電極部７６に接触し、水分が水素と酸素に電気分解される（２Ｈ2Ｏ→２Ｈ+＋Ｏ2＋２ｅ-）。水素は水素イオンの状態で固体電解質体７５を通過し、第２電極部７７で水素に還元される（２Ｈ+＋２ｅ-→Ｈ2）。水素発生装置７での水の電気分解は、ほぼ理論どうりに行われる。固体電解質体７５を透過するガスがなければ、１Ａ・１分間あたり、約７ｃｃの水素（標準状態に換算して）を得ることができる。
【００４５】
第２電極部７７で生成した水素は、水素生成空間７４に充満し、第１水素供給経路８を介して水素貯蔵容器９に送られる。水素生成空間７４内は、電気分解により生成する水素で最大９００ｋＰａ程度まで上昇する。これにより、水素吸蔵合金９ａが水素吸蔵する際の平衡水素圧より高圧となるので、水素貯蔵容器９の水素吸蔵合金９ａに水素を貯蔵することができる。このとき、弁１３は閉じているので水素貯蔵容器９から燃料電池１２に水素は供給されない。
【００４６】
第１電極部７６での電気分解により発生した酸素は、他の排気ガスとともに排気管５内を通過して外部に排出される。
【００４７】
次に、車両を長期間停止させる場合について説明する。これは極端な場合は、車両を製造してから船で国外に輸送する場合、もしは何らかの事情により長期に車両を使用しない場合である。このように車両を長期間停止させる場合には、内燃機関１停止中の暗電流や、内燃機関１停止中にも働く電気負荷３により２次電池２が放電する。これを放置すれば２次電池２の充電容量が低下し、次の内燃機関１の始動時にスタータ（図示せず）が作動せず、内燃機関１の始動不能状態に陥る。
【００４８】
このため、制御回路１５は、内燃機関１が停止しており、かつ、２次電池２のＳＯＣ（充電状態）を検知し、ＳＯＣが所定値を下回った場合に、２次電池２の充電制御を行う。２次電池２のＳＯＣは、例えば２次電池２の開放電圧を測定することで、推定することができる。燃料電池１２の作動を開始を判断するための所定値は、例えば２次電池２の満充電状態の４０％程度に設定することができる。
【００４９】
２次電池２の充電制御では、燃料電池１２を起動させる。燃料電池１２の起動は、弁１３を開放させ、水素貯蔵容器９から燃料電池１２に水素を供給開始することで行う。同時に電圧変換回路１６を作動させ、燃料電池１２による発電電圧を２次電池２を充電しうる電圧にまで昇圧し、２次電池２を充電する。
【００５０】
制御回路１５は、２次電池２の充電状態を監視し、２次電池２の充電状態が所定値にまで回復した場合に、燃料電池１２による発電を停止する。燃料電池１２の停止は、弁１３を閉じることで行う。
【００５１】
上述の２次電池２の充電制御は内燃機関１の停止中に行われるので、燃料電池１２の発電中に内燃機関１が起動した場合には、燃料電池１２の発電を停止する。
【００５２】
以上のように、内燃機関１の排気ガスに含まれる水分を電気分解することで、燃料電池１２の燃料としての水素を得ることが出来る。このように、排気管５を流れる高温の排気ガス中に含まれる水蒸気を利用することで、水素生成のための原料の確保と熱エネルギの有効利用を同時に行うことができる。このようにして得た水素を用い、内燃機関１の停止中に燃料電池１２を発電させることで、内燃機関１の停止時に２次電池を充電することができる。
【００５３】
なお、固体高分子電解質膜を用いた電解法で水を電気分解して水素を得ることもできるが、この方法では、水素イオンが高分子電解質膜内を移動するとき水分の移動を伴うため、水素とともに水分も集まる。このため、水素から水分を分離して水素貯蔵を行う必要があり、気液分離器が必要となる。
【００５４】
これに対し、上記実施形態の固体電解質体７５を用いる構成によれば、純粋に水素だけが発生するので気液分離器を設ける必要がないという優れた効果がある。さらに、内燃機関１の排気ガスに含まれる水蒸気を利用して電気分解することで、水素の原料としての水を別途確保しなくてもよいので、低温時に電気分解用の水分が凍結することがなく、車両にとっては大きな利点となる。
【００５５】
また、固体高分子電解法の場合は発生した水素を常圧より高くすると高分子膜の強度上困難であるが、本実施形態の構成では例えばゲージ圧で９００ｋＰａとすることも容易である。このため、水素吸蔵合金に水素を吸蔵させることができる。
【００５６】
また、電圧変換回路１６を設けることで、燃料電池１２のセル枚数を増加させることなく、燃料電池１２の発電電圧を２次電池２の充電に必要な電圧まで昇圧することができる。これにより、燃料電池１２の構成を簡略化することができる。
【００５７】
（第２実施形態）
次に、本発明の第２実施形態について図４に基づいて説明する。図４は、本第２実施形態における水素生成装置７の断面図である。
【００５８】
図４に示すように、本第２実施形態では、内側ケーシング７３、固体電解質体７５、電極７６、７７が、排気管５における排気ガスの流れに直交するように配置されている。
内側ケーシング７３は一端が閉じた円筒状に形成され、固体電解質体７５と電極７６、７７は、一端が半球状となった円筒状に形成されている。これらの内側ケーシング７３、固体電解質体７５、電極７６、７７は、排気管５の内側に突き出るように配置されている。
【００５９】
本第２実施形態の構成によれば、排気ガスと第１電極部７５との接触面積を大きくすることができ、水の電気分解の効率を向上させることができ、水素の生成効率を向上させることができる。
【００６０】
（第３実施形態）
次に、本発明の第３実施形態について図５に基づいて説明する。図５は、本第３実施形態における水素生成装置７の断面図である。
【００６１】
図５に示すように、本第３実施形態では、内側ケーシング７３、固体電解質体７５、電極７６、７７が、排気管５における排気ガスの流れに直交するように配置されている。内側ケーシング７３、固体電解質体７５、電極７６、７７が２組設けられている。本実施形態では、内側ケーシング７３、固体電解質体７５、電極７６、７７は、それぞれ両端が開放した円筒状に形成され、排気管５の内部を貫通するように配置されている。
【００６２】
本第３実施形態の構成によれば、排気ガスと第１電極部７５との接触面積をさらに大きくすることができ、水の電気分解の効率を向上させることができ、水素の生成効率を向上させることができる。
【００６３】
（他の実施形態）
なお、上記実施形態では、燃料電池１２にて発生した電気エネルギを２次電池２の充電に用いたが、これに限らず、燃料電池１２にて発生した電気エネルギを電気負荷３に直接供給するように構成してもよい。この場合には、燃料電池１２の発電電圧を昇圧する電圧変換回路１６を燃料電池１２と電気負荷３との間に設ければよい。
【００６４】
また、上記実施形態では、水素貯蔵容器９として水素吸蔵合金を充填した容器を用いたが、これに限らず、水素を高圧にして充填する高圧水素タンクを用いてもよい。
【００６５】
また、第１水素供給経路８にポンプ等の加圧手段を設け、水素生成装置７で生成した水素を加圧手段で加圧して水素貯蔵容器に充填するようにしてもよい。
【００６６】
また、水素貯蔵容器７に容器７内の圧力を検出する圧力センサを設け、水の電気分解により水素貯蔵容器７への水素貯蔵が進み、圧力センサの検出値が所定値を超えた場合に、水素貯蔵容器７が満貯蔵状態となったことを検知することができる。したがって、圧力センサの検出値が所定値を超えた場合に、水素生成装置７への通電を停止し、水素生成を停止することができる。
【００６７】
また、内燃機関１の始動直後は排気ガスの温度が低く、水素生成装置７による水素の生成効率が悪いので、内燃機関１の始動直後は水素生成装置７への通電を行わないようにすることで、無駄な通電を防止できる。
【００６８】
また、上記実施形態では、燃料電池１２の単独の燃料電池セルから構成したが、これに限らず、燃料電池１２を複数の燃料電池セルから構成してもよい。この場合には、電圧変換回路１６が不要となるか、あるいは電圧変換回路１６の構成を簡略化できる。
【００６９】
また、内燃機関１として水素を燃料とする水素エンジンを用いた場合には、水素発生装置７で発生した水素を、水素エンジンの燃料として再利用するようにすることもできる。これにより、内燃機関１の排気ガスから生成した水素を燃料電池１２の燃料以外の用途にも用いることができる。
【図面の簡単な説明】
【００７０】
【図１】第１実施形態の２次電池充電システムの全体構成を示す概念図である。
【図２】電圧変換回路の回路図である。
【図３】水素生成装置の断面図である。
【図４】第２実施形態の水素生成装置の断面図である。
【図５】第３実施形態の水素生成装置の断面図である。
【符号の説明】
【００７１】
１…内燃機関、２…２次電池、３…電気負荷、７…水素生成装置、９…水素貯蔵容器、１２…燃料電池、１５…制御回路、１６…電圧変換回路、１７…ＤＣ／ＤＣコンバータ。
【図１】
2006206931.tif 000003
【図２】
2006206931.tif 000004
【図３】
2006206931.tif 000005
【図４】
2006206931.tif 000006
【図５】
2006206931.tif 000007